(57)【特許請求の範囲】
【請求項１】
アトマイザー用の水落下の音低減機構であって、異なる高さの水滴の落下を導くように異なる高さに一体に設置される３つの音低減装置を含み、前記３つの音低減装置それぞれには１つ以上の吸気口が設けられ、
前記３つの音低減装置のうちの１つは、水落下プラットフォーム（３２）であり、
前記水落下プラットフォーム（３２）は、側壁と、前記側壁が囲んでなるミスト流通孔（３２２）とを備え、前記側壁の内側は、受け面（３２０）となり、前記受け面（３２０）は、前記ミスト流通孔（３２２）を通過した水滴を受けるように設けられ、前記側壁には、第１吸気口（３２１）が設けられ、
前記３つの音低減装置は、下部の水遮断プラットフォーム（３３）をさらに含み、前記下部の水遮断プラットフォーム（３３）は、前記水落下プラットフォーム（３２）の側壁の底部に接続され、第１貫通孔（３３２）を有し、且つ、前記第１貫通孔（３３２）は、前記水落下プラットフォーム（３２）のミスト流通孔（３２２）に連通し、
前記下部の水遮断プラットフォーム（３３）の側壁には、第２吸気口（３３１）が設けられ、
前記第１吸気口（３２１）の頂端は、アトマイザーの最高水位の目盛りより高い、アトマイザー用の水落下の音低減機構。
【請求項２】
前記受け面（３２０）と水平面との間の角度がαであり、且つ、０°＜α＜９０°である請求項１に記載の水落下の音低減機構。
【請求項３】
前記下部の水遮断プラットフォーム（３３）の側壁の内側と水平面との間の角度がβであり、且つ、α＜β＜９０°であり、前記下部の水遮断プラットフォーム（３３）の底部は平坦な形状に形成される請求項１に記載の水落下の音低減機構。
【請求項４】
前記第２吸気口（３３１）の数は前記第１吸気口（３２１）の数より少ない請求項１に記載の水落下の音低減機構。
【請求項５】
前記３つの音低減装置は、上部の水遮断プラットフォーム（３１）をさらに含み、前記上部の水遮断プラットフォーム（３１）は、前記水落下プラットフォーム（３２）の前記下部の水遮断プラットフォーム（３３）から離れた一端に接続され、第２貫通孔（３１２）を有し、且つ、前記第２貫通孔（３１２）は、前記水落下プラットフォーム（３２）の前記ミスト流通孔（３２２）に連通している請求項１〜４のいずれか１項に記載の水落下の音低減機構。
【請求項６】
前記上部の水遮断プラットフォーム（３１）の側壁の内側と水平面との間の角度がγであり、且つ、α≦γ≦９０°である請求項５に記載の水落下の音低減機構。
【請求項７】
前記水落下プラットフォーム（３２）は、一端から他端に向かって横断面の面積が徐々に減少する請求項１〜４のいずれか１項に記載の水落下の音低減機構。
【請求項８】
請求項１〜７のいずれか１項に記載の水落下の音低減機構（３）を備えるアトマイザー。
【請求項９】
タンク（４）と、タンク（４）の底部に位置する霧化シート（６）とをさらに含み、前記水落下の音低減機構（３）は、前記タンク（４）の内部であって、前記霧化シート（６）の真上方に位置する請求項８に記載のアトマイザー。
【発明の詳細な説明】
【技術分野】
【０００１】
本出願は、アトマイザーの技術分野に関し、たとえば、水落下の音低減機構及びアトマイザーに関する。
【背景技術】
【０００２】
市販されているアトマイザー、たとえば、アロマディフューザーや加湿器などは、一般的に、超音波霧化原理を利用している。超音波アトマイザーは、電子高周波発振を利用して、霧化セラミックスシートの高周波共振を引き起こすことで超音波を発生させ、超音波が水において伝播するときにキャビテーション現象を発生させる。アトマイザーは、水と空気との間に生じたキャビティの爆発を利用してキャビティの周辺での水を１〜３μｍの微粒子に粉砕し、このように水面でミストを発生させる。しかしながら、超音波霧化シートの作動時に水滴が水面から飛ばされて、水滴のさらなる着水によるノイズにより、音に弱い利用者の場合は、使用のエクスペリエンスが損なわれる。
【発明の概要】
【課題を解決するための手段】
【０００３】
本出願は、アトマイザーが作動するときの着水音が大きいという問題を解決する水落下の音低減機構を提供する。本出願は、アトマイザー用の水落下の音低減機構を提供し、該水落下の音低減機構は、水落下プラットフォームを備え、水落下プラットフォームは、側壁と、前記側壁が囲んでなるミスト流通孔とを備え、水落下プラットフォームの側壁の内側は、受け面となり、受け面は、ミスト流通孔を貫通した水滴を受けるように設けられ、水落下プラットフォームの側壁には、第１吸気口が設けられる。
【０００４】
一実施例では、受け面と水平面との間の角度がαであり、０°＜α＜９０°である。
【０００５】
一実施例では、水落下の音低減機構において、下部の水遮断プラットフォームをさらに備え、下部の水遮断プラットフォームは、水落下プラットフォームの側壁の底部に接続され、第１貫通孔を有し、且つ、第１貫通孔は、水落下プラットフォームのミスト流通孔に連通している。
【０００６】
一実施例では、下部の水遮断プラットフォームの側壁の内側と水平面との間の角度がβであり、且つ、α＜β＜９０°である。
【０００７】
一実施例では、下部の水遮断プラットフォームの側壁には、第２吸気口が設けられる。
【０００８】
一実施例では、水落下の音低減機構において、上部の水遮断プラットフォームをさらに備え、上部の水遮断プラットフォームは、水落下プラットフォームの下部の水遮断プラットフォームから離れた一端に接続され、第２貫通孔を有し、且つ、第２貫通孔は、水落下プラットフォームのミスト流通孔に連通している。
【０００９】
一実施例では、上部の水遮断プラットフォームの側壁の内側と水平面との間の角度がγであり、且つ、α≦γ≦９０°である。
【００１０】
一実施例では、上部の水遮断プラットフォームの側壁には、第３吸気口が設けられ、且つ、第３吸気口は、第１吸気口に連通している。
【００１１】
一実施例では、第１吸気口の頂端は、アトマイザーの最高水位の目盛りより高い。
【００１２】
一実施例では、第３吸気口の頂端は、アトマイザーの最高水位の目盛りより高い。
【００１３】
一実施例では、水落下プラットフォームは、一端から他端に向かって横断面の面積が徐々に減少する。
【００１４】
一実施例では、上部の水遮断プラットフォームは、上部の水遮断プラットフォームの複数の側壁により形成される多面体構造であり、下部の水遮断プラットフォームは、下部の水遮断プラットフォームの複数の側壁により形成される多面体構造であり、水落下プラットフォームは、水落下プラットフォームの複数の側壁により形成される多面体構造である。
【００１５】
一実施例では、ミスト流通孔は、第１開口及び第２開口を有し、第１貫通孔は、第３開口及び第４開口を有し、第２貫通孔は、第５開口及び第６開口を有し、第１開口の横断面の形状が第４開口の横断面の形状と同じであり、第２開口の横断面の形状が第５開口の横断面の形状と同じである。
【００１６】
本出願は、アトマイザーが作動するときの着水音が大きいという問題を解決するアトマイザーを提供する。
【００１７】
本出願は、上記水落下の音低減機構を備えるアトマイザーを提供する。
【００１８】
一実施例では、アトマイザーは、タンクと、タンクの底部に位置する霧化シートとをさらに備え、水落下の音低減機構は、タンクの内部であって、霧化シートの真上方に位置する。
【００１９】
一実施例では、水落下プラットフォームの頂部と霧化シートとの間の間隔が霧化シートのパワーに比例する。
【００２０】
一実施例では、アトマイザーは、タンクの下方に位置するベースと、ベースの内部に位置するファンとをさらに備える。
【００２１】
一実施例では、第１吸気口の数がファンのパワーに比例する。
【００２２】
一実施例では、第１吸気口の孔径がファンのパワーに比例する。
【発明の効果】
【００２３】
本出願による水落下の音低減機構は、該水落下の音低減機構に入った大量の水滴を受けることができるため、水滴の直接着水による着水音を解消することができる。また、水落下プラットフォームには第１吸気口が設けられることにより、水落下の音低減機構における空気を流通させて、霧を迅速に放出させる。
【００２４】
本出願によるアトマイザーの内部には水落下の音低減機構が設けられ、該水落下の音低減機構は、大量の水滴を受けることができるため、水滴の直接着水を防止し、さらに着水によるノイズを小さく抑える。
【図面の簡単な説明】
【００２５】
【図１】本出願の一実施例による水落下の音低減機構の第１軸側面図である。
【図２】図１における水落下の音低減機構の第２軸側面図である。
【図３】図１における水落下の音低減機構の正面図である。
【図４】図１における水落下の音低減機構の上面図である。
【図５】本出願の別の実施例による水落下の音低減機構の正面図である。
【図６】本出願の別の実施例による水落下の音低減機構の正面図である。
【図７】本出願の一実施例によるアトマイザーの断面図である。
【発明を実施するための形態】
【００２６】
以下、当業者が本出願の技術案を容易に理解できるために、図面を参照しながら、特定の実施形態により本出願の技術案を説明する。
【００２７】
図１は、一実施例による水落下の音低減機構の第１軸側面図であり、図２は、図１に示される水落下の音低減機構の第２軸側面図であり、図３は、図１に示される水落下の音低減機構の正面図であり、図４は、図１に示される水落下の音低減機構の上面図である。図１〜図４に示されるように、本実施例によるアトマイザー用の水落下の音低減機構３は、少なくとも水落下プラットフォーム３２を備え、該水落下プラットフォーム３２は、側壁と、前記側壁により形成されるミスト流通孔３２２とを備え、水落下プラットフォーム３２の側壁の内側は、受け面３２０となり、受け面３２０は、ミスト流通孔３２２から水落下の音低減機構３に入った水滴を受ける受け面３２０として設けられる。ミスト流通孔３２２は、第１開口及び第２開口を有する。
【００２８】
一実施例では、受け面３２０と水平面は、角度をなすように設けられ、受け面３２０と水平面との間の角度αの値の範囲が０°＜α＜９０°であり、即ち、水落下プラットフォーム３２の受け面３２０は、水平面に対して傾斜して設けられ、傾斜角度が９０°未満である。一実施例では、水落下プラットフォーム３２は、断面が次第に小さくなる逆錐台状プラットフォーム又は円状プラットフォームとしてもよい。このような構造によって、受け面３２０に落ちた水が重力の作用で受け面３２０に沿って緩やかに滑り落ちる。
【００２９】
水落下プラットフォーム３２の側壁には、第１吸気口３２１が設けられる。水が霧化されて生じた霧及び水滴が同時にミスト流通孔３２２から水落下の音低減機構３に入るため、第１吸気口３２１は、水落下の音低減機構３での空気を流通させ、霧を水落下の音低減機構３から吹き出して、アトマイザーの外部へ迅速に放出させるために設けられる。
【００３０】
本実施例による水落下プラットフォーム３２は、大量の水滴を受けることができるため、大量の水滴の直接着水による着水音を避ける。また、水落下プラットフォーム３２には、第１吸気口３２１が設けられることによって、水落下の音低減機構３で空気を流通させて、霧を迅速に拡散させ、それによって優れた霧化効果を奏する。
【００３１】
一実施例では、水落下の音低減機構３は、下部の水遮断プラットフォーム３３をさらに備え、下部の水遮断プラットフォーム３３の内部には、第１貫通孔３３２を有し、第１貫通孔３３２は、下部の水遮断プラットフォーム３３の側壁が囲んでなり、第３開口及び第４開口を有し、ミスト流通孔３２２の第１開口が第１貫通孔３３２の第４開口に接続されて、第１貫通孔３３２とミスト流通孔３２２を連通させる。下部の水遮断プラットフォーム３３は、アトマイザーの内部での霧化により生じた霧が下部の水遮断プラットフォーム３３により集まり、より多くのミストが水落下の音低減機構３に入るようにするために設けられる。下部の水遮断プラットフォーム３３の側壁の内側と水平面は、角度をなすように設けられ、下部の水遮断プラットフォーム３３の側壁の内側と水平面との間の角度がβであり、且つ、α＜β＜９０°である。下部の水遮断プラットフォーム３３の側壁の内側は、水面から飛ばされた高さが低い水滴を受け、水滴が下部の水遮断プラットフォーム３３の側壁の内側に沿って迅速に滑り落ちるようにする。
【００３２】
本実施例における水落下の音低減機構３は、上部の水遮断プラットフォーム３１をさらに備え、該上部の水遮断プラットフォーム３１は、水落下プラットフォーム３２の下部の水遮断プラットフォーム３３から離れた一端に接続され、上部の水遮断プラットフォーム３１の内部には、第２貫通孔３１２を有し、第２貫通孔３１２は、上部の水遮断プラットフォーム３１の側壁が囲んでなり、第５開口及び第６開口を有し、第２貫通孔３１２の第５開口は、ミスト流通孔３２２の第２開口に接続され、第２貫通孔３１２は、水落下プラットフォーム３２のミスト流通孔３２２に連通している。上部の水遮断プラットフォーム３１の側壁の内側と水平面は、角度をなすように設けられ、上部の水遮断プラットフォーム３１の側壁の内側と水平面との間の角度がγであり、且つ、α≦γ≦９０°である。上部の水遮断プラットフォーム３１は、水面から飛ばされた高さが大きい水滴が水落下プラットフォーム３２の受け面３２０を超えて水落下の音低減機構３から出ることを防止するとともに、水滴が水落下プラットフォーム３２まで迅速に滑り落ちるようにガイドするために設けられる。
【００３３】
上部の水遮断プラットフォーム３１及び下部の水遮断プラットフォーム３３の設けられにより、水滴を最大限に止めて、水落下の音低減機構３による様々な高さの水滴に対する音低減作用を確保する。
【００３４】
一実施例では、下部の水遮断プラットフォーム３３には、第２吸気口３３１が設けられる。アトマイザーにおける水位が低くなる場合、第２吸気口３３１は、水面から露出して、第２吸気口３３１から入った風は、霧化された水を水落下の音低減機構３の頂部から吹き出す。第２吸気口３３１は、低水位の場合の水落下の音低減機構３での空気を流通させ、霧をタイムリーに水落下の音低減機構３から吹き出して、アトマイザーの外部へ放出させ、このように優れた霧化効果を奏する。なお、アトマイザーにおける水位が第２吸気口３３１よりも高くなる場合、第２吸気口３３１は、水に没入して、風は、第１吸気口３２１から水落下の音低減機構３に入り、それによっても、霧がタイムリーに水落下の音低減機構３から吹き出される。
【００３５】
水落下の音低減機構３における高所での霧のアトマイザーの外部への放出速度を高めるために、上部の水遮断プラットフォーム３１の側壁には、第３吸気口３１１が設けられる。本実施例では、第３吸気口３１１は、第１吸気口３２１に連通しており、第１吸気口３２１は、水落下プラットフォーム３２の側壁の頂端に設けられ、第３吸気口３１１は、上部の水遮断プラットフォーム３１の底端に設けられ、第３吸気口３１１は、第１吸気口３２１に連通しており、それは、吸気口の孔径を拡大させることに相当し、水落下の音低減機構３を大霧量のアトマイザーに適応させる。
【００３６】
一実施例では、上部の水遮断プラットフォーム３１の側壁には第３吸気口３１１が設けられていないと、第１吸気口３２１の頂端をアトマイザーの最高水位の目盛りよりも高くし、上部の水遮断プラットフォーム３１の側壁には第３吸気口３１１が設けられていると、第３吸気口３１１の頂端をアトマイザーの最高水位の目盛りよりも高くする。このように設計すると、風が水落下の音低減機構３に入り、水落下の音低減機構３における空気を流通させる。
【００３７】
本実施例では、上部の水遮断プラットフォーム３１も下部の水遮断プラットフォーム３３も環状構造であり、このような場合、水落下プラットフォーム３２も環状構造にすべきであり、上部の水遮断プラットフォーム３１及び下部の水遮断プラットフォーム３３の横断面の形状がいずれもリング状である。別の実施例では、上部の水遮断プラットフォーム３１及び下部の水遮断プラットフォーム３３は、多面体構造であってもよく、たとえば、上部の水遮断プラットフォーム３１及び下部の水遮断プラットフォーム３３の横断面は、長方形枠状構造又は六角形枠状構造であり、このような場合、水落下プラットフォーム３２の側壁は、上部の水遮断プラットフォーム３１及び下部の水遮断プラットフォーム３３の側壁の数に等しい。一実施例では、ミスト流通孔３２２が第１貫通孔３３２にぴったりと連通するように、第１開口の横断面の形状を第４開口の横断面の形状と同様にし、ミスト流通孔３２２が第２貫通孔３１２にぴったりと連通するように、第２開口の横断面の形状を第５開口の横断面の形状と同様にする。
【００３８】
本実施例では、第２吸気口３３１、第１吸気口３２１及び第３吸気口３１１のいずれの数も２つ以上であり、且つ、第２吸気口３３１の数が第１吸気口３２１の数未満であり、第１吸気口３２１及び第３吸気口３１１の数が同じである。第２吸気口３３１は、軸方向に下部の水遮断プラットフォーム３３の側壁に均等に配置されており、第１吸気口３２１は、軸方向に水落下プラットフォーム３２の側壁に均等に配置されており、第３吸気口３１１は、軸方向に上部の水遮断プラットフォーム３１の側壁に均等に配置されている。なお、下部の水遮断プラットフォーム３３の周長が水落下プラットフォーム３２の周長より小さいため、多くの吸気口を開ける必要がない。
【００３９】
本出願に係る水落下の音低減機構は、超音波霧化原理を利用したアトマイザーに適用され、霧化シートがアトマイザーにおける水を霧化させて水滴を飛ばすとき、霧及び水滴は、同時に水落下の音低減機構に入る。霧は、風で水落下の音低減機構から吹き出され、低所での水滴は、下部の水遮断プラットフォーム３３により止められて、下部の水遮断プラットフォーム３３の側壁の内側に沿って水に滑り落ち、高所での水滴は、水落下プラットフォーム３２の受け面３２０に滴下して、受け面３２０及び下部の水遮断プラットフォーム３３の側壁の内側に沿って水に滑り落ち、最高位置での水滴は、上部の水遮断プラットフォーム３１により止められて、上部の水遮断プラットフォーム３１の側壁の内側、水落下プラットフォーム３２及び下部の水遮断プラットフォーム３３の側壁の内側に沿って水に滑り落ちる。このように、水落下の音低減機構は、アトマイザーから霧を発生させる効率を確保するとともに、霧化シートによる様々な高さの水滴の直接着水によるノイズを抑制できる。
【００４０】
図５に示されるように、図５は、別の実施例による水落下の音低減機構の正面図である。本実施例では、水落下の音低減機構は、水落下プラットフォーム３２’のみを備え、上部の水遮断プラットフォーム及び下部の水遮断プラットフォームを備えない。水落下プラットフォーム３２’は、断面が徐々に減少する逆錐台状プラットフォーム又は円状プラットフォームであり、水落下プラットフォーム３２’の側壁の内側と水平面は、角度をなすように設けられ、且つ、該角度の値の範囲は０°より大きく且つ９０°未満である。水落下プラットフォーム３２’の側壁には、吸気口３２１’が設けられ、該吸気口３２１’は、短冊状構造であって、長さ方向が該水落下の音低減機構の軸方向に沿うように設けられる。一実施例では、吸気口３２１’の頂端は、アトマイザーの最高水位の目盛りより高い。
【００４１】
本実施例による水落下の音低減機構は、構造がシンプルで、製造されやすく、且つ霧化シートが上へ噴出する大量の水滴を受けて、大量の水滴の直接着水による着水音を避けることができる。水落下の音低減機構には吸気口３２１’が設けられるため、水落下の音低減機構で空気を流通させて、霧をタイムリーに放出させる。
【００４２】
図６に示されるように、別の実施例では、吸気口３２１’の頂端が水落下の音低減機構の頂端と面一になってもよく、このようにすると、アトマイザーの最高水位の目盛りをより高くすることができ、即ち、アトマイザーは、より多くの水を収容できる。
【００４３】
本出願は、さらにアトマイザーを提供し、図７に示されるように、図７は、別の実施例による水落下の音低減機構を適用したアトマイザーである。該アトマイザーは、水落下の音低減機構３、ベース１、ベース１に合わせた上蓋２、ベース１と上蓋２により形成されたチャンバーにおけるタンク４、タンクの内蓋５、タンク４の底部に設けられた霧化シート６、及びベース１の内部に設けられたファン７を備える。水落下の音低減機構３は、タンク４とタンク内蓋５により形成されたチャンバーに設けられる。
【００４４】
水落下の音低減機構３は、上部の水遮断プラットフォーム３１、水落下プラットフォーム３２及び下部の水遮断プラットフォーム３３を備える。上部の水遮断プラットフォーム３１は、タンク内蓋５に係合されて、水落下の音低減機構３をタンク内蓋５の下方に固定する。下部の水遮断プラットフォーム３３は、霧化シート６の真上方に位置し、下部の水遮断プラットフォーム３３の底部（即ち、第１貫通孔３３２の第３開口）が給水口となり、該給水口と霧化シート６との間に隙間があるため、水落下の音低減機構３における水位がタンク４における水位と同じである。
【００４５】
本実施例では、水落下プラットフォーム３２の頂部と霧化シート６との間の間隔が霧化シート６のパワーに比例し、つまり、霧化シート６のパワーが大きいほど、水落下プラットフォーム３２の頂部が霧化シート６から離れており、下部の水遮断プラットフォーム３３が長くなる。それは、霧化シート６のパワーが大きいほど、振動時に発生させた水しぶきが大きくなり、飛ばされた水滴が高くなり、水落下プラットフォーム３２の位置を高くすると、より多くの高所での水滴を受けるのに適するためである。
【００４６】
また、ミストがタンク内蓋５の底面で凝結して水滴になり、重力の作用で落下する可能性があるため、水落下プラットフォーム３２はまた、これら水滴の滴下によるノイズを抑制するために、タンク内蓋５から滴下した水滴を受けるように設けられてもよい。
【００４７】
水落下の音低減機構３の上部の水遮断プラットフォーム３１の側壁には、第３吸気口３１１が設けられ、水落下プラットフォーム３２の側壁には、第１吸気口３２１が設けられ、下部の水遮断プラットフォーム３３の側壁には、第２吸気口３３１が設けられ、アトマイザーの上蓋２には、排気口２０が設けられ、該排気口２０は、タンク内蓋５の上方に位置し、且つ水落下の音低減機構３の放出口（即ち、第２貫通孔３１２の第６開口）に連通している。上蓋２とタンク内蓋５との間には、ダクトとなる隙間が存在する。
【００４８】
アトマイザーが作動するとき、タンク４における水は、霧化シート６により作用されて、霧化シート６の上方で霧を発生させるとともに、水しぶきを飛ばす。霧及び水滴は、同時に給水口から水落下の音低減機構３に入り、水滴は、上部の水遮断プラットフォーム３１、水落下プラットフォーム３２又は下部の水遮断プラットフォーム３３に落ちて、重力の作用で、最終的に下部の水遮断プラットフォーム３３の側壁の内側に沿って水に滑り落ちる。ベース１におけるファン７は、ベース１の外部での空気をベース１に吸引し、空気がダクトを介してタンク４に入り、次に吸気口から水落下の音低減機構３に入り、放出口へ吹かれて、最終的には、排気口２０から排出され、アトマイザーの外部へ霧を輸送する。
【００４９】
本実施例では、吸気口の数がファンのパワーに比例し、吸気口の孔径もファンのパワーに比例する。一実施例では、上部の水遮断プラットフォーム３１での第３吸気口、水落下プラットフォーム３２での第１吸気口３２１、及び下部の水遮断プラットフォーム３３の第２吸気口３３１の数又は孔径は、いずれもファンのパワーに比例する。ファンのパワーが大きい場合、このような設計は、ファンのパワーに合わせて大量の霧を発生させ、ハイパワーのアトマイザーに適用できる。
【００５０】
本出願によるアトマイザーは、霧化効果を確保するとともに、霧化シートにより噴出される水滴の直接着水、又は霧が凝結してなる水滴のさらなる着水によるノイズを抑制し、ユーザーエクスペリエンスを改善する。
【００５１】
なお、以上は、本出願の基本的な原理、主な特徴及び本出願の利点を示して説明した。当業者であれば、本出願は、上記実施形態により限制されず、上記実施形態及び明細書における記載は、本出願の原理を説明するものに過ぎないことが理解される。
【符号の説明】
【００５２】
１  ベース
２  上蓋
２０  排気口
３  水落下の音低減機構
３１  上部の水遮断プラットフォーム
３１１  第３吸気口
３１２  第２貫通孔
３２  水落下プラットフォーム
３２０  受け面
３２１  第１吸気口
３２２  ミスト流通孔
３３  下部の水遮断プラットフォーム
３３１  第２吸気口
３３２  第１貫通孔
４  タンク
５  タンク内蓋
６  霧化シート
７  ファン
【図１】
0006903134.tif 000002
【図２】
0006903134.tif 000003
【図３】
0006903134.tif 000004
【図４】
0006903134.tif 000005
【図５】
0006903134.tif 000006
【図６】
0006903134.tif 000007
【図７】
0006903134.tif 000008